(57)【特許請求の範囲】
【請求項１】
前壁板部材と後壁板部材と複数の側壁板部材と底板部材とで構成して商品を収容する箱体と前記側壁板部材の上端部で相互に折り曲げ線を介して連結して商品の食み出しを阻止するサイドフラップと前記後壁板部材の上端部で相互に折り曲げ線を介して連結して箱体の上端部を開閉自在に封止する天面蓋と前記天面蓋の先端縁部で相互に折り曲げ線を介して連結して箱体内へ差し込まれて天面蓋を保持する差込み片とを備え、前記差込み片の連結基端部を折り曲げ線に沿って一部切り込んだスリット内に前記サイドフラップの一部であるスリット係止片を係止させて天面蓋を閉じた状態を保持するスリットロック型係止構造を形成する包装箱において、
前記天面蓋のサイドフラップ対向縁部から先端縁部まで延設した切り取り誘導線に沿って切り取り自在な天面蓋の一部が、前記切り取り誘導線に沿って人手に切り取られながら把持されて天面蓋から起立してスリットロック型係止構造による係止を解除自在なスリットロック解除把持片を形成し、
前記人手による上方、かつ、前方へ向かった引っ張り力によって、前記スリットロック解除把持片が、前記起立し、前記人手による前方へ向かった引っ張り力によって、前記差込み片も前方へ引っ張られ、前記差込み片における左右方向でスリットロック解除把持片が形成された側の前記スリットが、前記サイドフラップのスリット係止片に対して前方へ移動し、相対的に視て前記スリット係止片が、前記スリットから抜かれることを特徴とする包装箱。
【請求項２】
前壁板部材と後壁板部材と複数の側壁板部材と底板部材とで構成して商品を収容する箱体と前記側壁板部材の上端部で相互に折り曲げ線を介して連結して商品の食み出しを阻止するサイドフラップと前記後壁板部材の上端部で相互に折り曲げ線を介して連結して箱体の上端部を開閉自在に封止する天面蓋と前記天面蓋の先端縁部で相互に折り曲げ線を介して連結して箱体内へ差し込まれて天面蓋を保持する差込み片とを備え、前記差込み片の連結基端部を折り曲げ線に沿って一部切り込んだスリット内に前記サイドフラップの一部を係止させて天面蓋を閉じた状態を保持するスリットロック型係止構造を形成する包装箱において、
前記天面蓋のサイドフラップ対向縁部から先端縁部まで延設した切り取り誘導線に沿って切り取り自在な天面蓋の一部が、前記切り取り誘導線に沿って人手に切り取られながら把持されて天面蓋から起立してスリットロック型係止構造による係止を解除自在なスリットロック解除把持片を形成し、
前記スリットが、前記差込み片と天面蓋との境界となる折り曲げ線の起点から差込み片側に向けてサイドフラップの厚み分を切り込んだ後に差込み片の側端側に向けて切り込んだＬ字型切り込みと、前記差込み片の天面蓋に対する折り曲げ状態とにより形成され、
前記天面蓋に対する差込み片の折り曲げ状態でＬ字型切り込みによって差込み片との境界の折り曲げ線より前方へ突出する天面蓋の一部が、スリットロック解除把持片の起立時に前記スリット内のサイドフラップと当接してスリットロック型係止構造による係止を解除自在なロック解除突片を形成していることを特徴とする包装箱。
【請求項３】
前記切り取り誘導線が、前記天面蓋のサイドフラップ対向縁部および先端縁部と直交する円弧状に形成されていることを特徴とする請求項１または請求項２に記載の包装箱。
【請求項４】
前記切り取り誘導線が、前記天面蓋の先端縁部とサイドフラップ対向縁部との交差点を中心とした正円の円弧状に形成されていることを特徴とする請求項３に記載の包装箱。
【請求項５】
前記前壁板部材の上端部に設けた切り欠き部が、前記天面蓋の先端縁部の切り取り誘導線と対向して配置されていることを特徴とする請求項１乃至請求項４のいずれか１つに記載の包装箱。
【発明の詳細な説明】
【技術分野】
【０００１】
本発明は、差込み片の連結基端部を折り曲げ線に沿って一部切り込んだスリット内にサイドフラップの一部を係止させて天面蓋を閉じた状態を保持するスリットロック型係止構造を形成する包装箱に関するものであって、特に、化粧品類、薬品類などの商品自体または商品を収容して店頭などの売り場で陳列される綺麗な化粧箱を売り場まで移送する際に傷や衝撃から守るために商品自体または商品を収容した化粧箱を包装する包装箱に関する。
【背景技術】
【０００２】
従来、包装箱として、差込み片と重なる箱体の前面上端に形成された円弧状の切り欠き部と、箱体におけるこの切り欠き部と対面する箇所に円弧状の切り込みで囲まれ指掛け孔を形成可能な押し込み片とを備え、指掛け孔に指を引っ掛けて蓋部を持ち上げることにより、蓋部を開封する包装ケースが知られている（例えば、特許文献１）。
【０００３】
また、包装箱として、蓋板と差込み片との境界両端に設けられた切れ目（スリット）と、サイドフラップとを備え、切れ目（スリット）にサイドフラップを引っ掛ける所謂、スリットロック構造を有した物品収納用箱が知られている（例えば、特許文献２、３）。
【０００４】
さらに、包装箱として、天面部フラップ片と天面部差込みフラップ片との間の横方向折り曲げ線の両端部に形成されロック機構を構成するロック用切り込みと、天面部内フラップ片の基端部に形成されロック機構を構成するロック用突片と、天面部フラップ片の中央部分に形成され切断誘導線を破断する際の操作開始部となるつば部とを備えた封緘箱が知られている（例えば、特許文献４）。
そして、天面部フラップ片が筒状本体の開口部を閉塞した状態では、ロック用突片がロック用切り込みに入り込むことにより天面部差込みフラップ片が係止され、天面部フラップ片による開口部の閉塞姿勢が保持される。
また、切断誘導線を破断させることにより開封して収容物を取り出せるようになっている。
【先行技術文献】
【特許文献】
【０００５】
【特許文献１】特開２００７−２５３９６６号公報（特に、図１乃至図３参照）
【特許文献２】特開２００１−３０１７４１号公報（特に、図１参照）
【特許文献３】特開２００７−２０９５９８号公報（特に、図１および図２参照）
【特許文献４】特開２０１３−１４２４号公報（特に、図１乃至図３参照）
【特許文献５】特開平１０−７７０２９号公報（特に、図２乃至図４参照）
【発明の概要】
【発明が解決しようとする課題】
【０００６】
しかしながら、上述した特許文献１に記載された従来の包装ケースは、押し込み片が箱体の内側へ押し込まれて指掛け孔が形成される構造であったため、化粧箱などで箱体内が隙間なく充填されている場合、そもそも、押し込み片を内側に押し込んで指掛け孔を形成することができず、蓋部を開封することができないという問題があった。
【０００７】
また、上述した特許文献２および特許文献３に記載された従来の物品収納用箱は、蓋板を開放するとき、正面板と差込み片との間に指先を入れて差込み片を撓ませることで切れ目（スリット）におけるサイドフラップの係止を解除する構造であるため、化粧箱などで箱体内が隙間なく充填されている場合、正面板と差込み片との間に指先を入れて差込み片を撓ませることができず、蓋板を開放して化粧箱などを物品収納用箱から取り出すことが困難であるという問題があった。
【０００８】
さらに、上述した特許文献４に記載された従来の封緘箱は、つば部から破断を開始し天面部フラップ片の一部を、ロック機構のロックを解除せずに、開放する構造であったため、化粧箱などで箱体内が隙間なく充填されている場合、化粧箱などが天面部フラップ片の残りの部分で引っ掛かり化粧箱などを封緘箱から取り出すことが困難であるという問題があった。
【０００９】
なお、包装箱として、上蓋の一方の側縁から背面側にかけて、ミシン線、切り取り線等の切り離し線で吊下げ穴を有する吊下げ片を備えた吊下げ用包装箱が知られている（例えば、特許文献５）が、切り離し線は、単に、上蓋の一部を吊下げ片として形成するためのものであり、上蓋の開封とは関係がない。
【００１０】
そこで、本発明は、前述したような従来技術の問題を解決するものであって、すなわち、本発明の目的は、商品が箱体内に隙間なく充填されている場合であっても、天面蓋の差込み片のスリットが側壁部材の上端部に形成されたサイドフラップに係止したスリットロックを容易に解除自在な包装箱を提供することである。
【課題を解決するための手段】
【００１１】
本請求項１に係る発明は、前壁板部材と後壁板部材と複数の側壁板部材と底板部材とで構成して商品を収容する箱体と前記側壁板部材の上端部で相互に折り曲げ線を介して連結して商品の食み出しを阻止するサイドフラップと前記後壁板部材の上端部で相互に折り曲げ線を介して連結して箱体の上端部を開閉自在に封止する天面蓋と前記天面蓋の先端縁部で相互に折り曲げ線を介して連結して箱体内へ差し込まれて天面蓋を保持する差込み片とを備え、前記差込み片の連結基端部を折り曲げ線に沿って一部切り込んだスリット内に前記サイドフラップの一部であるスリット係止片を係止させて天面蓋を閉じた状態を保持するスリットロック型係止構造を形成する包装箱において、前記天面蓋のサイドフラップ対向縁部から先端縁部まで延設した切り取り誘導線に沿って切り取り自在な天面蓋の一部が、前記切り取り誘導線に沿って人手に切り取られながら把持されて天面蓋から起立してスリットロック型係止構造による係止を解除自在なスリットロック解除把持片を形成し、前記人手による上方、かつ、前方へ向かった引っ張り力によって、前記スリットロック解除把持片が、前記起立し、前記人手による前方へ向かった引っ張り力によって、前記差込み片も前方へ引っ張られ、前記差込み片における左右方向でスリットロック解除把持片が形成された側の前記スリットが、前記サイドフラップのスリット係止片に対して前方へ移動し、相対的に視て前記スリット係止片が、前記スリットから抜かれることにより、前述した課題を解決するものである。
【００１２】
本請求項２に係る発明は、前壁板部材と後壁板部材と複数の側壁板部材と底板部材とで構成して商品を収容する箱体と前記側壁板部材の上端部で相互に折り曲げ線を介して連結して商品の食み出しを阻止するサイドフラップと前記後壁板部材の上端部で相互に折り曲げ線を介して連結して箱体の上端部を開閉自在に封止する天面蓋と前記天面蓋の先端縁部で相互に折り曲げ線を介して連結して箱体内へ差し込まれて天面蓋を保持する差込み片とを備え、前記差込み片の連結基端部を折り曲げ線に沿って一部切り込んだスリット内に前記サイドフラップの一部を係止させて天面蓋を閉じた状態を保持するスリットロック型係止構造を形成する包装箱において、前記天面蓋のサイドフラップ対向縁部から先端縁部まで延設した切り取り誘導線に沿って切り取り自在な天面蓋の一部が、前記切り取り誘導線に沿って人手に切り取られながら把持されて天面蓋から起立してスリットロック型係止構造による係止を解除自在なスリットロック解除把持片を形成し、前記スリットが、前記差込み片と天面蓋との境界となる折り曲げ線の起点から差込み片側に向けてサイドフラップの厚み分を切り込んだ後に差込み片の側端側に向けて切り込んだＬ字型切り込みと、前記差込み片の天面蓋に対する折り曲げ状態とにより形成され、前記天面蓋に対する差込み片の折り曲げ状態でＬ字型切り込みによって差込み片との境界の折り曲げ線より前方へ突出する天面蓋の一部が、スリットロック解除把持片の起立時に前記スリット内のサイドフラップと当接してスリットロック型係止構造による係止を解除自在なロック解除突片を形成していることにより、前述した課題を解決するものである。
【００１３】
本請求項３に係る発明は、請求項１または請求項２に記載された包装箱の構成に加えて、前記切り取り誘導線が、前記天面蓋のサイドフラップ対向縁部および先端縁部と直交する円弧状に形成されていることにより、前述した課題をさらに解決するものである。
【００１４】
本請求項４に係る発明は、請求項３に記載された包装箱の構成に加えて、前記切り取り誘導線が、前記天面蓋の先端縁部とサイドフラップ対向縁部との交差点を中心とした正円の円弧状に形成されていることにより、前述した課題をさらに解決するものである。
【００１５】
本請求項５に係る発明は、請求項１乃至請求項４のいずれか１つに記載された包装箱の構成に加えて、前記前壁板部材の上端部に設けた切り欠き部が、前記天面蓋の先端縁部の切り取り誘導線と対向して配置されていることにより、前述した課題をさらに解決するものである。
【発明の効果】
【００１６】
本発明の包装箱は、前壁板部材と後壁板部材と複数の側壁板部材と底板部材とで構成して商品を収容する箱体と側壁板部材の上端部で相互に折り曲げ線を介して連結して商品の食み出しを阻止するサイドフラップと後壁板部材の上端部で相互に折り曲げ線を介して連結して箱体の上端部を開閉自在に封止する天面蓋と天面蓋の先端縁部で相互に折り曲げ線を介して連結して箱体内へ差し込まれて天面蓋を保持する差込み片とを備え、差込み片の連結基端部を折り曲げ線に沿って一部切り込んだスリット内にサイドフラップの一部であるスリット係止片を係止させて天面蓋を閉じた状態を保持するスリットロック型係止構造を形成していることにより、天面蓋が勝手に開いてしまうことを防止することができるばかりでなく、以下のような特有の効果を奏することができる。
【００１７】
本請求項１に係る発明の包装箱によれば、天面蓋のサイドフラップ対向縁部から先端縁部まで延設した切り取り誘導線に沿って切り取り自在な天面蓋の一部が、切り取り誘導線に沿って人手に切り取られながら把持されて天面蓋から起立してスリットロック型係止構造による係止を解除自在なスリットロック解除把持片を形成していることにより、天面蓋を開ける際に人手による上方、かつ、前方へ向かった引っ張り力によって、スリットロック解除把持片が、起立し、人手による前方へ向かった引っ張り力によって、差込み片も前方へ引っ張られ、差込み片における左右方向でスリットロック解除把持片が形成された側のスリットが、サイドフラップのスリット係止片に対して前方へ移動し、相対的に視てスリット係止片が、スリットから抜かれるため、箱体内が隙間なく充填されている場合であっても差込み片における左右方向でスリットロック解除把持片が形成された側のスリットにおける差込み片とサイドフラップとの係止であるスリットロック型係止構造による係止を解除することができる。
【００１８】
本請求項２に係る発明の包装箱によれば、天面蓋のサイドフラップ対向縁部から先端縁部まで延設した切り取り誘導線に沿って切り取り自在な天面蓋の一部が、切り取り誘導線に沿って人手に切り取られながら把持されて天面蓋から起立してスリットロック型係止構造による係止を解除自在なスリットロック解除把持片を形成し、スリットが、差込み片と天面蓋との境界となる折り曲げ線の起点から差込み片側に向けてサイドフラップの厚み分を切り込んだ後に差込み片の側端側に向けて切り込んだＬ字型切り込みと、差込み片の天面蓋に対する折り曲げ状態とにより形成され、天面蓋に対する差込み片の折り曲げ状態でＬ字型切り込みによって差込み片との境界の折り曲げ線より前方へ突出する天面蓋の一部が、スリットロック解除把持片の起立時にスリット内のサイドフラップと当接してスリットロック型係止構造による係止を解除自在なロック解除突片を形成していることにより、スリットロック解除把持片を起立させた際に折り曲げ線を中心にロック解除突片が揺動してスリット内のサイドフラップがスリット内から相対的に押し出されるため、箱体内が隙間なく充填されている場合であっても差込み片における左右方向でスリットロック解除把持片が形成された側のスリットにおける差込み片とサイドフラップとの係止であるスリットロック型係止構造による係止を確実に解除することができる。
【００１９】
本請求項３に係る発明の包装箱によれば、請求項１または請求項２に係る発明が奏する効果に加えて、切り取り誘導線が、天面蓋のサイドフラップ対向縁部および先端縁部と直交する円弧状に形成されていることにより、人手によって天面蓋のサイドフラップ対向縁部から天面蓋の一部を起立させる際に、切り取り誘導線に作用する応力の方向が天面蓋のサイドフラップ対向縁部と直交する方向から先端縁部と直交する方向に向かって徐々に変化するとともにこの応力の作用する点が切り取り誘導線の一箇所に留まって集中することも無く天面蓋のサイドフラップ対向縁部から先端縁部に向かって順次移動し、応力の作用する軌跡が円弧状となるため、切り取り誘導線に沿ってスムーズに切り取りながらスリットロック解除把持片を形成することができる。
【００２０】
本請求項４に係る発明の包装箱によれば、請求項３に係る発明が奏する効果に加えて、切り取り誘導線が、天面蓋の先端縁部とサイドフラップ対向縁部との交差点を中心とした正円の円弧状に形成されていることにより、人手によって天面蓋のサイドフラップ対向縁部から天面蓋の一部を起立させる際に、切り取り誘導線に作用する応力の大きさが正円の半径に対応して略均一になるとともに人手の負荷の大きさが略均一になるため、切り取り誘導線に沿ってより一層スムーズに切り取りながらスリットロック解除把持片を形成することができる。
【００２１】
本請求項５に係る発明の包装箱によれば、請求項１乃至請求項４のいずれか１つに係る発明が奏する効果に加えて、前壁板部材の上端部に設けた切り欠き部が、天面蓋の先端縁部の切り取り誘導線と対向して配置されていることにより、引っ張り力でスリットロック解除把持片が上方、かつ、前方へ引っ張られた際に前壁板部材におけるスリットロック解除把持片近傍が前方に撓みやすくなり差込み片も前方へ変位しやすくなるため、差込み片における左右方向でスリットロック解除把持片が形成された側のスリットロック型係止構造による係止をより一層容易に解除することができる。
【００２２】
また、前壁板部材の上端部に設けられた切り欠き部が、天面蓋の先端縁部の切り取り誘導線と対向していることにより、引っ張り力でスリットロック解除把持片が上方、かつ、前方へ引っ張られた際に切り取り誘導線の終点であるスリットロック解除把持片と差込み片との繋ぎ目における応力が分散されるため、この部分に生じがちな破損を抑制してスリットとサイドフラップとのスリットロック型係止構造による係止をより確実に解除することができる。
【図面の簡単な説明】
【００２３】
【図１】本発明の第１実施例である包装箱の概略を示す前方斜視図。
【図２】本発明の第１実施例である包装箱の展開図。
【図３】（Ａ）（Ｂ）は本発明のスリットロック解除把持片の動作を示す前方斜視図および後方向斜視図。
【図４】（Ａ）（Ｂ）は本発明のスリットロック解除把持片の動作を示す前方斜視図および後方向斜視図。
【図５】（Ａ）（Ｂ）は本発明のスリットロック解除把持片の動作を示す前方斜視図および後方向斜視図。
【図６】（Ａ）（Ｂ）は本発明のスリットロック解除把持片の動作を示す前方斜視図および後方向斜視図。
【図７】（Ａ）（Ｂ）は本発明のスリットロック解除把持片の動作を示す前方斜視図および後方向斜視図。
【図８】本発明の包装箱の天面蓋が開いた状態を示す前方斜視図。
【図９】（Ａ）は図１の符号９Ａ−９Ａで視た側断面図、（Ｂ）は図３（Ａ）の符号９Ｂ−９Ｂで視た側断面図、（Ｃ）は図４（Ａ）の符号９Ｃ−９Ｃで視た側断面図。
【図１０】（Ａ）は第２実施例の包装箱を示す前方斜視図、（Ｂ）は第３実施例の包装箱を示す前方斜視図。
【図１１】本発明の第４実施例の包装箱上部の展開図。
【発明を実施するための形態】
【００２４】
本発明は、天面蓋のサイドフラップ対向縁部から先端縁部まで延設した切り取り誘導線に沿って切り取り自在な天面蓋の一部が、切り取り誘導線に沿って人手に切り取られながら把持されて天面蓋から起立してスリットロック型係止構造による係止を解除自在なスリットロック解除把持片を形成し、前記人手による上方、かつ、前方へ向かった引っ張り力によって、前記スリットロック解除把持片が、前記起立し、前記人手による前方へ向かった引っ張り力によって、前記差込み片も前方へ引っ張られ、前記差込み片における左右方向でスリットロック解除把持片が形成された側の前記スリットが、前記サイドフラップのスリット係止片に対して前方へ移動し、相対的に視て前記スリット係止片が、前記スリットから抜かれることにより、箱体内が隙間なく充填されている場合であっても差込み片における左右方向でスリットロック解除把持片が形成された側のスリットにおける差込み片とサイドフラップとの係止であるスリットロック型係止構造による係止を解除するもの、または、天面蓋のサイドフラップ対向縁部から先端縁部まで延設した切り取り誘導線に沿って切り取り自在な天面蓋の一部が、切り取り誘導線に沿って人手に切り取られながら把持されて天面蓋から起立してスリットロック型係止構造による係止を解除自在なスリットロック解除把持片を形成し、スリットが、差込み片と天面蓋との境界となる折り曲げ線の起点から差込み片側に向けてサイドフラップの厚み分を切り込んだ後に差込み片の側端側に向けて切り込んだＬ字型切り込みと、差込み片の天面蓋に対する折り曲げ状態とにより形成され、天面蓋に対する差込み片の折り曲げ状態でＬ字型切り込みによって差込み片との境界の折り曲げ線より前方へ突出する天面蓋の一部が、スリットロック解除把持片の起立時にスリット内のサイドフラップと当接してスリットロック型係止構造による係止を解除自在なロック解除突片を形成していることにより、箱体内が隙間なく充填されている場合であっても差込み片における左右方向でスリットロック解除把持片が形成された側のスリットにおける差込み片とサイドフラップとの係止であるスリットロック型係止構造による係止を確実に解除するものであれば、その具体的な実施態様は、如何なるものであっても構わない。
【００２５】
例えば、包装箱は、天面蓋の先端側に連結した差込み片のスリット内にサイドフラップの一部が係止するスリットロック型係止構造を有していれば、立方体でも直方体でもよく、例えば、六角柱などの多角柱でもよい。
一部切り込んだスリットには、単に切り込んで形成したスリットだけでなく、切り込んで切り欠きのように幅を持たせたスリットも含まれるものとする。
また、包装箱の材料は、可撓性を有していれば、コート紙、ボール紙、コートボール紙、段ボールなどの紙でもよく、プラスチックなどの樹脂でもよい。
さらに、底板部材は、１つの底板部材で構成されてもよく、複数の底板部材で構成されてもよい。
【００２６】
また、切り取り誘導線の形状は、天面蓋のサイドフラップ対向縁部から先端縁部まで延設していれば、円弧状の曲線でもよく、直線でもよい。
さらに、切り取り誘導線の形態は、所望の線に沿って所定間隔で切断されて切り取り容易な所謂、ミシン目や切り取り線でもよく、所望の線の肉厚を他の箇所より薄くして所望の線に沿って切り取り容易にしたものでもよい。
【実施例１】
【００２７】
以下に、本発明の第１実施例である包装箱１００について、図１乃至図９に基づいて説明する。
ここで、図１は、本発明の第１実施例である包装箱１００の概略を示す前方斜視図であり、図２は、本発明の第１実施例である包装箱１００の展開図であり、図３（Ａ）、図４（Ａ）、図５（Ａ）、図６（Ａ）、図７（Ａ）は、本発明のスリットロック解除把持片１４４の動作を示す前方斜視図であり、図３（Ｂ）、図４（Ｂ）、図５（Ｂ）、図６（Ｂ）、図７（Ｂ）は、それぞれ図３（Ａ）、図４（Ａ）、図５（Ａ）、図６（Ａ）、図７（Ａ）に対応する後方向斜視図であり、図８は、本発明の包装箱１００の天面蓋１４０が開いた状態を示す前方斜視図であり、図９（Ａ）は、図１の符号９Ａ−９Ａで視た側断面図であり、図９（Ｂ）は、図３（Ａ）の符号９Ｂ−９Ｂで視た側断面図であり、図９（Ｃ）は、図４（Ａ）の符号９Ｃ−９Ｃで視た側断面図である。
【００２８】
本発明の第１実施例である包装箱１００は、図１および図２に示すように、厚みのある段ボール製であり、商品の一例である化粧箱（図示せず）を収容する箱体１１０と、化粧箱の食み出しを阻止するサイドフラップである右サイドフラップ１２０および左サイドフラップ１３０と、箱体１１０の上端部を開閉自在に封止する天面蓋１４０と、箱体１１０内へ差し込まれて天面蓋１４０を保持する差込み片１５０とを備えている。
ここで、本実施例の説明において、「左」、「右」は、組み立てられた包装箱１００を基準とした「左」、「右」、すなわち、包装箱１００の前壁板部材１１１へ向かって後壁板部材１１２から視たときの「左」、「右」である。
【００２９】
このうち、箱体１１０は、図２に示すように、前壁板部材１１１と、後壁板部材１１２と、複数の側壁板部材である右側壁板部材１１３および左側壁板部材１１４と、後壁のりしろ１１５と、底板部材である前側底板部材１１６、後側底板部材１１７、右側底板部材１１８および左側底板部材１１９とで構成されている。
右側壁板部材１１３は、前壁板部材１１１の右端部で折り曲げ線である前壁右端部折罫線ＢＬ１を介して連結されている。
また、後壁板部材１１２は、右側壁板部材１１３の後端部で折り曲げ線である後壁右端部折罫線ＢＬ２を介して連結されている。
【００３０】
左側壁板部材１１４は、前壁板部材１１１の左端部で折り曲げ線である前壁左端部折罫線ＢＬ３を介して連結されている。
また、後壁のりしろ１１５は、後壁板部材１１２の左端部で折り曲げ線である後壁左端部折罫線ＢＬ４を介して連結されている。
前側底板部材１１６は、前壁板部材１１１の下端部で折り曲げ線である前壁下端部折罫線ＢＬ５を介して連結されている。
さらに、前側底板部材１１６は、前側底ベース１１６ａと、前側底のりしろ１１６ｂと、前側底舌片１１６ｃとを有し、前側底のりしろ１１６ｂは、折り曲げ線である前側底折罫線ＢＬ６を介して前側底ベース１１６ａと連結されている。
【００３１】
後側底板部材１１７は、前側底板部材１１６と同様に、後壁板部材１１２の下端部で折り曲げ線である後壁下端部折罫線ＢＬ７を介して連結されている。
さらに、後側底板部材１１７は、後側底ベース１１７ａと、後側底のりしろ１１７ｂと、後側底舌片１１７ｃとを有し、後側底のりしろ１１７ｂは、折り曲げ線である後側底折罫線ＢＬ８を介して後側底ベース１１７ａと連結されている。
右側底板部材１１８は、右側壁板部材１１３の下端部で折り曲げ線である右側壁下端部折罫線ＢＬ９を介して連結されている。
左側底板部材１１９は、右側底板部材１１８と同様、左側壁板部材１１４の下端部で折り曲げ線である左側壁下端部折罫線ＢＬ１０を介して連結されている。
【００３２】
そして、包装箱１００が組み立てられる際、例えば、前壁板部材１１１および右側壁板部材１１３が、前壁右端部折罫線ＢＬ１で相互に９０度となるように折り曲げられ、右側壁板部材１１３および後壁板部材１１２が、後壁右端部折罫線ＢＬ２で相互に９０度となるように折り曲げられる。
同様に、前壁板部材１１１および左側壁板部材１１４が、前壁左端部折罫線ＢＬ３で相互に９０度となるように折り曲げられ、後壁板部材１１２および後壁のりしろ１１５が、後壁左端部折罫線ＢＬ４で相互に９０度となるように折り曲げられる。
【００３３】
そして、後壁のりしろ１１５が、左側壁板部材１１４の後端部の内側面に一例として接着剤で接着され、箱体１１０の外周が平面視四角形となる。
その後、例えば、一度、箱体１１０の平面断面形状が、つぶれた平行四辺形の状態にされて、前側底のりしろ１１６ｂが、左側底板部材１１９の外側面に一例として接着剤で接着される。
同様に、後側底のりしろ１１７ｂが、右側底板部材１１８の外側面に一例として接着剤で接着される。
【００３４】
そして、箱体１１０の平面断面形状を、つぶれた平行四辺形の状態から角が９０度の四角形の状態にする。
すると、前側底板部材１１６が前側底折罫線ＢＬ６で折り曲がった状態から折り曲がっていない状態となるとともに、後側底板部材１１７も同様に後側底折罫線ＢＬ８で折り曲がった状態から折り曲がっていない状態となり、前側底舌片１１６ｃが、後側底ベース１１７ａの内面側に入り込むとともに、後側底舌片１１７ｃも同様に前側底ベース１１６ａの内面側に入り込む。
そして、前側底舌片１１６ｃと後側底舌片１１７ｃとが係合し、前側底ベース１１６ａの縁部と後側底ベース１１７ａの縁部とが係合することで、角が９０度の四角形の状態、すなわち、化粧箱を収容自在な状態で箱体１１０の平面断面形状が安定する。
【００３５】
また、右サイドフラップ１２０は、右側壁板部材１１３の上端部で折り曲げ線である右側壁上端部折罫線ＢＬ１１を介して連結されている。
同様に、左サイドフラップ１３０は、左側壁板部材１１４の上端部で折り曲げ線である左側壁上端部折罫線ＢＬ１２を介して連結されている。
天面蓋１４０は、後壁板部材１１２の上端部で折り曲げ線である後壁上端部折罫線ＢＬ１３を介して連結されている。
差込み片１５０は、天面蓋１４０の先端縁部１４２で折り曲げ線である天面先端縁部折罫線ＢＬ１４を介して連結されている。
【００３６】
包装箱１００は、差込み片１５０の連結基端部を天面先端縁部折罫線ＢＬ１４に沿って一部切り込んだスリット内にサイドフラップの一部を係止させて天面蓋１４０を閉じた状態を保持するスリットロック型係止構造ＬＫを形成している。
具体的には、差込み片１５０の天面先端縁部折罫線ＢＬ１４の近傍に右側Ｌ字型切り込みＣＴ１および左側Ｌ字型切り込みＣＴ２があり、差込み片１５０を天面先端縁部折罫線ＢＬ１４で天面蓋１４０に対して折り曲げることにより、差込み片１５０と天面蓋１４０との隙間である右側スリットＳＬ１および左側スリットＳＬ２が形成されている。
なお、本実施例では、包装箱１００の材料の厚みが比較的厚いため、Ｌ字型切り込み（ＣＴ１、ＣＴ２）でスリット（ＳＬ１、ＳＬ２）を形成したが、包装箱１００の材料の厚みが比較的薄い場合は、単に直線状切り込み、すなわち、Ｉ字型切り込みでスリットを形成してもよいのは勿論である。
【００３７】
そして、右サイドフラップ１２０の前端部に形成された右スリット係止片１２１が、右側スリットＳＬ１に入り込み、右側スリットＳＬ１において差込み片１５０が右スリット係止片１２１によって係止される。
同様に、左サイドフラップ１３０の前端部に形成された左スリット係止片１３１が、左側スリットＳＬ２に入り込み、左側スリットＳＬ２において差込み片１５０が左スリット係止片１３１によって係止される。
【００３８】
本実施例では、天面蓋１４０のサイドフラップ対向縁部である左側フラップ対向縁部１４１から先端縁部１４２まで一例としてミシン目である切り取り誘導線１４３が延設されている。
そして、切り取り誘導線１４３に沿って切り取り自在な天面蓋１４０の一部が、切り取り誘導線１４３に沿って人手に切り取られながら把持されて天面蓋１４０から起立してスリットロック型係止構造ＬＫによる係止を解除自在なスリットロック解除把持片１４４を形成する。
【００３９】
以下、スリットロック解除把持片１４４の動作および作用について説明する。
図３（Ａ）および図３（Ｂ）に示すように、図１に示す状態から天面蓋１４０を開ける際に人手による天面蓋１４０の左側フラップ対向縁部１４１から上方、かつ、前方へ向かった引っ張り力で切り取り誘導線１４３に沿って切り取られ、天面蓋１４０の一部によってスリットロック解除把持片１４４が形成される。
このとき、スリットロック解除把持片１４４は、残りの部分である天面蓋１４０に対して少し起き上がった姿勢になる。
【００４０】
ここで、本実施例では、切り取り誘導線１４３が、天面蓋１４０の左側フラップ対向縁部１４１および先端縁部１４２と直交する円弧状に形成されている。
これにより、人手によって天面蓋１４０の左側フラップ対向縁部１４１から天面蓋１４０の一部を起立させる際に、切り取り誘導線１４３に作用する応力の方向が、天面蓋１４０の左側フラップ対向縁部１４１と直交する方向から先端縁部１４２と直交する方向に向かって徐々に変化する。
さらに、この応力の作用する点が、切り取り誘導線１４３の一箇所に留まって集中することも無く天面蓋１４０の左側フラップ対向縁部１４１から先端縁部１４２に向かって順次移動し、応力の作用する軌跡が円弧状となる。
つまり、切り取り誘導線１４３に沿った切り取りが、スムーズになる。
【００４１】
また、切り取り誘導線１４３が、天面蓋１４０の先端縁部１４２と左側フラップ対向縁部１４１との交差点ＣＰを中心とした正円の円弧状に形成されている。
これにより、人手によって天面蓋１４０の左側フラップ対向縁部１４１から天面蓋１４０の一部を起立させる際に、切り取り誘導線１４３に作用する応力の大きさが正円の半径に対応して略均一になるとともに、人手の負荷の大きさが略均一になる。
つまり、切り取り誘導線１４３に沿った切り取りが、より一層スムーズになる。
【００４２】
図４（Ａ）および図４（Ｂ）に示すように、図３（Ａ）および図３（Ｂ）に示す状態から人手による上方、かつ、前方へ向かった引っ張り力によって、スリットロック解除把持片１４４が、起立する。
図５（Ａ）および図５（Ｂ）に示すように、図４（Ａ）および図４（Ｂ）に示す状態から人手による前方へ向かった引っ張り力によって、差込み片１５０も前方へ引っ張られる。
すると、差込み片１５０における左右方向でスリットロック解除把持片１４４が形成された側のスリットである左側スリットＳＬ２が、左サイドフラップ１３０の左スリット係止片１３１に対して前方へ移動し、相対的に視て左スリット係止片１３１が左側スリットＳＬ２から抜かれる。
【００４３】
すなわち、左側スリットＳＬ２における差込み片１５０と左スリット係止片１３１との係止が解除される。
なお、包装箱１００は、可撓性を有しているので、人手による前方へ向かった引っ張り力によって、前壁板部材１１１が多少なりとも撓み、左側スリットＳＬ２が前方へ移動する。
【００４４】
図６（Ａ）および図６（Ｂ）に示すように、図５（Ａ）および図５（Ｂ）に示す状態から人手による上方、かつ、前方へ向かった引っ張り力によって、スリットロック解除把持片１４４が上方、かつ、前方へ引っ張られる。
すると、差込み片１５０も上方、かつ、前方へ引っ張られて、相対的に視て左スリット係止片１３１が左側スリットＳＬ２から抜かれたままの状態で、差込み片１５０も上方へ移動する。
【００４５】
図７（Ａ）および図７（Ｂ）に示すように、図６（Ａ）および図６（Ｂ）に示す状態から人手による上方、かつ、前方へ向かった引っ張り力によって、天面蓋１４０の左右方向におけるスリットロック解除把持片１４４が設けられた側が先行するように天面蓋１４０が少し捩れながら開こうとする。
このとき、差込み片１５０が左右方向に対して傾き、他方側の右側スリットＳＬ１における差込み片１５０と右サイドフラップ１２０の右スリット係止片１２１との係止が緩む。
【００４６】
そして、右側スリットＳＬ１が、右サイドフラップ１２０の右スリット係止片１２１に対して傾きながら上方へ移動し、相対的に視て右スリット係止片１２１が右側スリットＳＬ１の右側から抜かれる。
すなわち、右側スリットＳＬ１における差込み片１５０と右スリット係止片１２１との係止が解除される。
【００４７】
続いて、図８に示すように、図７（Ａ）および図７（Ｂ）に示す状態から人手による上方へ向かった引っ張り力によって、差込み片１５０が箱体１１０から抜かれ、天面蓋１４０が開いた状態になる。
以上、説明したように、人手による引っ張り力の方向が上方、前方であり、引っ張り力の方向を逆向きに返す必要がないため、スムーズにスリットロックを解除して天面蓋１４０を開けることができる。
そして、カッターなどの道具が不要であり、包装箱１００に収容された化粧箱を取り出すことができる。
【００４８】
さらに、本実施例では、図９（Ａ）〜図９（Ｃ）に示すように、左側スリットＳＬ２が、左側Ｌ字型切り込みＣＴ２（図２参照）と、差込み片１５０の天面蓋１４０に対する折り曲げ状態とにより形成されている。
左側Ｌ字型切り込みＣＴ２は、差込み片１５０と天面蓋１４０との境界となる天面先端縁部折罫線ＢＬ１４の起点から差込み片１５０側に向けて左サイドフラップ１３０の厚みｄ１分を切り込んだ後に差込み片１５０の側端側に向けて切り込んで形成されている。
【００４９】
また、天面蓋１４０に対する差込み片１５０の折り曲げ状態で左側Ｌ字型切り込みＣＴ２によって差込み片１５０との境界の天面先端縁部折罫線ＢＬ１４より前方へ突出する天面蓋１４０の一部が、ロック解除突片１４５を形成する。
ロック解除突片１４５は、スリットロック解除把持片１４４の起立時に左側スリットＳＬ２の内側の左スリット係止片１３１と当接してスリットロック型係止構造ＬＫによる係止を解除自在に構成されている。
【００５０】
以下、ロック解除突片１４５の動作および作用について説明する。
図９（Ａ）に示すように、左スリット係止片１３１が、左サイドフラップ１３０の厚みｄ１分程度の左側スリットＳＬ２の内側に入って差込み片１５０を係止している。
また、ロック解除突片１４５が、天面先端縁部折罫線ＢＬ１４より前方へ突出している。
【００５１】
図９（Ｂ）に示すように、図９（Ａ）に示す状態から人手によって切り取り誘導線１４３に沿って天面蓋１４０の一部であるスリットロック解除把持片１４４が切り取られて把持される。
そして、人手による上方、かつ、前方へ向かった引っ張り力によって、スリットロック解除把持片１４４は、天面先端縁部折罫線ＢＬ１４を軸に上方、かつ、前方へ揺動する。
このとき、天面先端縁部折罫線ＢＬ１４を基準としたスリットロック解除把持片１４４の反対側に設けられたロック解除突片１４５は、左側スリットＳＬ２を塞ぐように下方、かつ、後方へ揺動し、左側スリットＳＬ２の内側にある左スリット係止片１３１と当接する。
【００５２】
そして、ロック解除突片１４５は、左側スリットＳＬ２の内側にある左スリット係止片１３１を相対的に後方へ押し出すように作用する。
このとき、左スリット係止片１３１に対する反力により、天面先端縁部折罫線ＢＬ１４およびその近傍のスリットロック解除把持片１４４、差込み片１５０、左側スリットＳＬ２が前方へ少し移動するとともに、前壁板部材１１１が前方へ撓む。
【００５３】
図９（Ｃ）に示すように、図９（Ｂ）に示す状態から人手によってスリットロック解除把持片１４４がさらに揺動して起立すると、ロック解除突片１４５は、左側スリットＳＬ２を塞ぐように揺動する。
すると、ロック解除突片１４５が左スリット係止片１３１の前方を押えるようにして、天面先端縁部折罫線ＢＬ１４およびその近傍のスリットロック解除把持片１４４、差込み片１５０、左側スリットＳＬ２が前方へさらに少し移動するとともに、前壁板部材１１１が前方へさらに撓む。
【００５４】
これに伴い、左側スリットＳＬ２の内側の左スリット係止片１３１が、左側スリットＳＬ２の内側から相対的に押し出され、左側スリットＳＬ２における差込み片１５０と左スリット係止片１３１との係止が解除される。
つまり、ロック解除突片１４５を設けることにより、上述した図４（Ａ）および図４（Ｂ）のタイミングで、左側スリットＳＬ２における差込み片１５０と左スリット係止片１３１との係止が解除され、天面蓋１４０をより開けやすくなる。
【００５５】
また、本実施例では、図３（Ａ）、図４（Ａ）、図５（Ａ）、図６（Ａ）に示すように、前壁板部材１１１の上端部に設けた一例として円弧状の切り欠き部１１１ａが、天面蓋１４０の先端縁部１４２の切り取り誘導線１４３と対向して配置されている。
これにより、引っ張り力でスリットロック解除把持片１４４が上方、かつ、前方へ引っ張られた際に前壁板部材１１１におけるスリットロック解除把持片１４４近傍が前方に撓みやすくなり、差込み片１５０も前方へ変位しやすくなる。
また、引っ張り力でスリットロック解除把持片１４４が上方、かつ、前方へ引っ張られた際に切り取り誘導線１４３の終点であるスリットロック解除把持片１４４と差込み片１５０との繋ぎ目における応力が分散される。
すなわち、この部分に生じがちな破損が抑制される。
なお、切り欠き部１１１ａの形状は、Ｖ字状でもコ字状でもよく円弧状に限らない。
【００５６】
なお、本実施例では、スリットロック解除把持片１４４を左右方向左側のみに設けたが、右側に設けてもよく、さらに、左右方向両側にそれぞれ設けてもよい。
【００５７】
このようにして得られた本発明の第１実施例である包装箱１００は、天面蓋１４０のサイドフラップ対向縁部である左側フラップ対向縁部１４１から先端縁部１４２まで延設した切り取り誘導線１４３に沿って切り取り自在な天面蓋１４０の一部が、切り取り誘導線１４３に沿って人手に切り取られながら把持されて天面蓋１４０から起立してスリットロック型係止構造ＬＫによる係止を解除自在なスリットロック解除把持片１４４を形成していることにより、化粧箱などで箱体１１０内が隙間なく充填されている場合であっても差込み片１５０における左右方向でスリットロック解除把持片１４４が形成された側の左側スリットＳＬ２における差込み片１５０と左サイドフラップ１３０との係止であるスリットロック型係止構造ＬＫによる係止を解除することができる。
【００５８】
また、差込み片１５０と天面蓋１４０との境界となる天面先端縁部折罫線ＢＬ１４の起点から差込み片１５０側に向けてサイドフラップの厚みｄ１分を切り込んだ後に差込み片１５０の側端側に向けて切り込んだ左側Ｌ字型切り込みＣＴ２と、差込み片１５０の天面蓋１４０に対する折り曲げ状態とにより形成され、天面蓋１４０に対する差込み片１５０の折り曲げ状態で左側Ｌ字型切り込みＣＴ２によって差込み片１５０との境界の天面先端縁部折罫線ＢＬ１４より前方へ突出する天面蓋１４０の一部が、スリットロック解除把持片１４４の起立時にスリット内の左サイドフラップ１３０と当接してスリットロック型係止構造ＬＫによる係止を解除自在なロック解除突片１４５を形成していることにより、差込み片１５０における左右方向でスリットロック解除把持片１４４が形成された側の左側スリットＳＬ２における差込み片１５０と左サイドフラップ１３０との係止であるスリットロック型係止構造ＬＫによる係止を確実に解除することができる。
【００５９】
さらに、切り取り誘導線１４３が、天面蓋１４０の左側フラップ対向縁部１４１および先端縁部１４２と直交する円弧状に形成されていることにより、切り取り誘導線１４３に沿ってスムーズに切り取りながらスリットロック解除把持片１４４を形成することができる。
【００６０】
また、切り取り誘導線１４３が、天面蓋１４０の先端縁部１４２と左側フラップ対向縁部１４１との交差点ＣＰを中心とした正円の円弧状に形成されていることにより、切り取り誘導線１４３に沿ってより一層スムーズに切り取りながらスリットロック解除把持片１４４を形成することができる。
【００６１】
さらに、前壁板部材１１１の上端部に設けた切り欠き部１１１ａが、天面蓋１４０の先端縁部１４２の切り取り誘導線１４３と対向して配置されていることにより、差込み片１５０における左右方向でスリットロック解除把持片１４４が形成された側のスリットロック型係止構造ＬＫによる係止をより一層容易に解除することができるとともに、この部分に生じがちな破損を抑制して左側スリットＳＬ２における差込み片１５０と左サイドフラップ１３０とのスリットロック型係止構造ＬＫによる係止をより確実に解除することができるなど、その効果は甚大である。
【実施例２】
【００６２】
続いて、本発明の第２実施例である包装箱２００について、図１０（Ａ）に基づいて説明する。
ここで、図１０（Ａ）は、本発明の第２実施例の包装箱２００を示す前方斜視図である。
第２実施例の包装箱２００は、第１実施例の包装箱１００の天面蓋１４０における左側フラップ対向縁部１４１の切り取り誘導線１４３の箇所にフラップ対向縁部切り欠き２４６を形成したものであり、多くの要素について第１実施例の包装箱１００と共通するので、共通する事項については詳しい説明を省略し、下２桁が共通する２００番台の符号を付すのみとする。
【００６３】
本発明の第２実施例である包装箱２００では、図１０（Ａ）に示すように、天面蓋２４０における左側フラップ対向縁部２４１の切り取り誘導線２４３の箇所にフラップ対向縁部切り欠き２４６が形成されている。
これによって、フラップ対向縁部切り欠き２４６が目印となる。
その結果、切り取り誘導線２４３の切り取り開始位置を容易に視認することができる。
【００６４】
また、人手の指先がフラップ対向縁部切り欠き２４６に引っ掛かりやすく、指先を天面蓋２４０の一部であるスリットロック解除把持片２４４となる箇所と左サイドフラップ２３０との間に入れやすくなる。
その結果、容易に切り取り誘導線２４３に沿って切り取ってスリットロック解除把持片２４４を起立させることができるなど、その効果は甚大である。
【実施例３】
【００６５】
続いて、本発明の第３実施例である包装箱３００について、図１０（Ｂ）に基づいて説明する。
ここで、図１０（Ｂ）は、本発明の第３実施例の包装箱３００を示す前方斜視図である。
第３実施例の包装箱３００は、第１実施例の包装箱１００の天面蓋１４０の左側フラップ対向縁部１４１において切り取り誘導線１４３より前方の箇所にフラップ対向縁部突出片３４７を形成したものであり、多くの要素について第１実施例の包装箱１００と共通するので、共通する事項については詳しい説明を省略し、下２桁が共通する３００番台の符号を付すのみとする。
【００６６】
本発明の第３実施例である包装箱３００では、図１０（Ｂ）に示すように、天面蓋３４０の左側フラップ対向縁部３４１における切り取り誘導線３４３を境界として切り取り誘導線３４３より前方の箇所にフラップ対向縁部突出片３４７が形成されている。
フラップ対向縁部突出片３４７は、左右方向左側へ突出している。
これによって、フラップ対向縁部突出片３４７が目印となる。
その結果、切り取り誘導線３４３の切り取り開始位置を容易に視認することができる。
【００６７】
また、人手の指先がフラップ対向縁部突出片３４７に引っ掛かりやすく、指先を天面蓋３４０の一部であるフラップ対向縁部突出片３４７と左サイドフラップ３３０との間に入れやすくなる。
その結果、容易に切り取り誘導線３４３に沿って切り取ってスリットロック解除把持片３４４を起立させることができるなど、その効果は甚大である。
なお、フラップ対向縁部突出片３４７を、左側壁板部材３１４の面より僅かに突出させると、より効果的である。
【実施例４】
【００６８】
続いて、本発明の第４実施例である包装箱４００について、図１１に基づいて説明する。
ここで、図１１は、本発明の第４実施例の包装箱上部の展開図である。
第４実施例の包装箱４００は、第１実施例の包装箱１００を六角柱状に形成したものであり、多くの要素について第１実施例の包装箱１００と共通するので、共通する事項については詳しい説明を省略し、下２桁が共通する４００番台の符号を付すのみとする。
【００６９】
本発明の第４実施例である六角柱状の包装箱４００では、図１１に示すように、前壁板部材４１１、後壁板部材４１２、右側壁板部材４１３ａ、右側壁板部材４１３ｂ、左側壁板部材４１４ａ、左側壁板部材４１４ｂ、側壁のりしろ４１５が設けられている。
なお、六角柱状の包装箱４００は、三角柱状の化粧箱や平面視断面ひし形の四角柱状の化粧箱を密に収納自在である。
【００７０】
このうち、側壁のりしろ４１５は、前壁板部材４１１の内側面に一例として接着剤によって接着される。
また、天面蓋４４０には、２つの差込み片４５０ａ、４５０ｂが連結されている。
一方の差込み片４５０ｂが、右側壁板部材４１３ａの上端部と連結した右サイドフラップ４２０の右スリット係止片４２１によってスリットロックされる。
同様に他方の差込み片４５０ａが、左側壁板部材４１４ａの上端部と連結した左サイドフラップ４３０の左スリット係止片４３１によってスリットロックされる。
【００７１】
また、差込み片４５０ａ、４５０ｂが、前壁板部材４１１の上端部と連結した前方フラップ４６０の一部によってスリットロックされる。
切り取り誘導線４４３ａ、４４３ｂは、２つ設けられ、一方の切り取り誘導線４４３ａは、左側フラップ対向縁部４４１ａから左側の差込み片側縁部４４２ａまで延設され、他方の切り取り誘導線４４３ｂは、右側フラップ対向縁部４４１ｂから右側の差込み片側縁部４４２ｂまで延設されている。
【００７２】
そして、上述した実施例と同様、天面蓋４４０の一部を切り取り誘導線４４３ａ、４４３ｂに沿って人手の引っ張り力によって切り取り、スリットロック解除把持片４４４ａ、４４４ｂを形成する。
すると、上述した実施例と同様なので詳しい説明は省略するが、スリットにおける差込み片４５０ａ、４５０ｂと左サイドフラップ４３０または右サイドフラップ４２０との係止であるスリットロック型係止構造ＬＫによる係止を解除することができるなど、その効果は甚大である。
【符号の説明】
【００７３】
１００、  ２００、  ３００、  ４００  ・・・  包装箱
１１０、  ２１０、  ３１０、  ４１０  ・・・  箱体
１１１、  ２１１、  ３１１、  ４１１  ・・・  前壁板部材
１１１ａ、２１１ａ、３１１ａ          ・・・  切り欠き部
１１２、                      ４１２  ・・・  後壁板部材
１１３、                      ４１３ａ・・・  右側壁板部材（側壁板部材）
４１３ｂ・・・  右側壁板部材（側壁板部材）
１１４、  ２１４、  ３１４、  ４１４ａ・・・  左側壁板部材（側壁板部材）
４１４ｂ・・・  左側壁板部材（側壁板部材）
１１５                                ・・・  後壁のりしろ
４１５  ・・・  側壁のりしろ
１１６                                ・・・  前側底板部材（底板部材）
１１６ａ                              ・・・  前側底ベース
１１６ｂ                              ・・・  前側底のりしろ
１１６ｃ                              ・・・  前側底舌片
１１７                                ・・・  後側底板部材（底板部材）
１１７ａ                              ・・・  後側底ベース
１１７ｂ                              ・・・  後側底のりしろ
１１７ｃ                              ・・・  後側底舌片
１１８                                ・・・  右側底板部材（底板部材）
１１９                                ・・・  左側底板部材（底板部材）
１２０、                      ４２０  ・・・  右サイドフラップ
１２１、                      ４２１  ・・・  右スリット係止片
１３０、  ２３０、  ３３０、  ４３０  ・・・  左サイドフラップ
１３１、                      ４３１  ・・・  左スリット係止片
１４０、  ２４０、  ３４０、  ４４０  ・・・  天面蓋
１４１、  ２４１、  ３４１、  ４４１ａ・・・  左側フラップ対向縁部
４４１ｂ・・・  右側フラップ対向縁部
１４２、  ２４２、  ３４２、  ４４２ａ・・・  先端縁部（左側の差込み片側縁部）
４４２ｂ・・・  先端縁部（右側の差込み片側縁部）
１４３、  ２４３、  ３４３、  ４４３ａ・・・  切り取り誘導線
４４３ｂ・・・  切り取り誘導線
１４４、  ２４４、  ３４４、  ４４４ａ・・・  スリットロック解除把持片
４４４ｂ・・・  スリットロック解除把持片
１４５、  ２４５、  ３４５            ・・・  ロック解除突片
２４６                      ・・・  フラップ対向縁部切り欠き
３４７            ・・・  フラップ対向縁部突出片
１５０、  ２５０、  ３５０、  ４５０ａ・・・  差込み片
４５０ｂ・・・  差込み片
４６０  ・・・  前方フラップ
ＢＬ１    ・・・  前壁右端部折罫線（折り曲げ線）
ＢＬ２    ・・・  後壁右端部折罫線（折り曲げ線）
ＢＬ３    ・・・  前壁左端部折罫線（折り曲げ線）
ＢＬ４    ・・・  後壁左端部折罫線（折り曲げ線）
ＢＬ５    ・・・  前壁下端部折罫線（折り曲げ線）
ＢＬ６    ・・・  前側底折罫線（折り曲げ線）
ＢＬ７    ・・・  後壁下端部折罫線（折り曲げ線）
ＢＬ８    ・・・  後側底折罫線（折り曲げ線）
ＢＬ９    ・・・  右側壁下端部折罫線（折り曲げ線）
ＢＬ１０  ・・・  左側壁下端部折罫線（折り曲げ線）
ＢＬ１１  ・・・  右側壁上端部折罫線（折り曲げ線）
ＢＬ１２  ・・・  左側壁上端部折罫線（折り曲げ線）
ＢＬ１３  ・・・  後壁上端部折罫線（折り曲げ線）
ＢＬ１４  ・・・  天面先端縁部折罫線（折り曲げ線）
ＣＰ      ・・・  （先端縁部とサイドフラップ対向縁部との）交差点
ＣＴ１    ・・・  右側Ｌ字型切り込み
ＣＴ２    ・・・  左側Ｌ字型切り込み
ｄ１      ・・・  サイドフラップの厚み
ＬＫ      ・・・  スリットロック型係止構造
ＳＬ１    ・・・  右側スリット
ＳＬ２    ・・・  左側スリット
【要約】
【課題】商品が箱体内に隙間なく充填されている場合であっても、天面蓋の差込み片のスリットが側壁部材の上端部に形成されたサイドフラップに係止したスリットロックを容易に解除自在な包装箱を提供すること。
【解決手段】天面蓋１４０のフラップ対向縁部１４１から先端縁部１４２まで延設した切り取り誘導線１４３に沿って切り取り自在な天面蓋の一部が、切り取り誘導線１４３に沿って人手に切り取られながら把持されて天面蓋１４０から起立してスリットロック型係止構造ＬＫによる係止を解除自在なスリットロック解除把持片１４４を形成していることにより、箱体内が隙間なく充填されている場合であっても差込み片１５０における左右方向でスリットロック解除把持片１４４が形成された側のスリット（ＳＬ２）における差込み片１５０とサイドフラップ（１３０）との係止であるスリットロック型係止構造ＬＫによる係止を解除する包装箱１００。
【選択図】図７【図１】
0005646098.tif 000002
【図２】
0005646098.tif 000003
【図３】
0005646098.tif 000004
【図４】
0005646098.tif 000005
【図５】
0005646098.tif 000006
【図６】
0005646098.tif 000007
【図７】
0005646098.tif 000008
【図８】
0005646098.tif 000009
【図９】
0005646098.tif 000010
【図１０】
0005646098.tif 000011
【図１１】
0005646098.tif 000012